(57)【要約】【課題】  鞄の肩掛けベルトや提手等の各種の取付具を鞄本体に固定したとき、その固定した部分に収納部内の収納物が当たらず、擦れたりせず、その収納物が傷むことなく、しかもその取付具を鞄本体に固定した部分が傷むことのない鞄の取付具の固定構造を提供する。【解決手段】  取付具Ａの取付板１に設けられたリベット孔２から、鞄Ｂの取付部に設けられた貫通孔３にリベット４を貫通させ、さらに座ぐり部５ａを周囲に形成して止め板６の厚肉部６ａに設けたリベット孔５に前記リベット４を貫通させ、前記止め板６を鞄Ｂの取付部の裏側に当て、この止め板６の厚肉部６ａを前記貫通孔３内に入り込ませると共に、止め板６のリベット孔５に前記リベット４をかしめてリベット止めし、この止め板６の座ぐり部５ａ内に前記リベット４のリベット止めでかしめた部分４ａを入り込ませたものとしている。【選択図】    図５
2006204752.tif 000002
【特許請求の範囲】
【請求項１】
取付具（Ａ）の取付板（１）に設けられたリベット孔（２）から、鞄（Ｂ）の取付部に設けられた貫通孔（３）にリベット（４）を貫通させ、さらに座ぐり部（５ａ）を周囲に形成して止め板（６）の厚肉部（６ａ）に設けたリベット孔（５）に前記リベット（４）を貫通させ、前記止め板（６）を鞄（Ｂ）の取付部の裏側に当て、この止め板（６）の厚肉部（６ａ）を前記貫通孔（３）内に入り込ませると共に、止め板（６）のリベット孔（５）に前記リベット（４）をかしめてリベット止めし、この止め板（６）の座ぐり部（５ａ）内に前記リベット（４）のリベット止めでかしめた部分（４ａ）を入り込ませたことを特徴とする鞄の取付具の固定構造。
【請求項２】
前記リベット孔（２）を取付板（１）の両側端上部および上端中央部に設けたものとし、前記貫通孔（３）を鞄（Ｂ）の取付部の上端中央部とその両側部に設けたものとし、さらに前記リベット孔（５）を止め板（６）の中央部とその両側部に設けたものとしたことを特徴とする背請求項１記載の鞄の取付具の固定構造。
【請求項３】
前記止め板（６）の厚肉部（６ａ）の周囲を薄肉部（６ｂ）としたことを特徴とする背請求項１記載の鞄の取付具の固定構造。
【発明の詳細な説明】
【技術分野】
【０００１】
この発明は、ランドセル、リュクサック、学生鞄等の各種鞄における肩掛けベルト上端の取付具や提手等の各種取付具の固定構造に関するものである。
【背景技術】
【０００２】
従来、例えばランドセル、リュクサック等の背負い鞄の肩掛けベルト上端の取付具は、例えば図６、７または図８、９に示したようなものが存在し、いずれも取付環１１、１１を取り付けた連結板１２、１２の対向側面に歯部１２ａ、１２ａを設け、これら歯部１２ａ、１２ａを互いに噛み合わせて連結板１２、１２を、背負い鞄Ｂの取付部である背当て部Ｃに回動自在に取り付けることにより、前記取付環１１、１１を揺動自在とすると共に、前記連結板１２、１２にバネ１３、１３による内方向の弾力を付したものとしている。そして、この肩掛けベルト上端の取付具Ａは、上被覆板１４ａの両側端上部に設けられたリベット孔１５ａ、１５ａおよび上端中央部に設けられたリベット孔１６ａから、下被覆板１４ｂの両側端上部に設けられたリベット孔１５ｂ、１５ｂおよび上端中央部に設けられたリベット孔１６ｂ、さらに背負い鞄Ｂの背当て部Ｃに設けられたリベット貫通孔（図示せず）に、それぞれリベット１７、１７、１７を貫通させて、背負い鞄Ｂの背当て部Ｃの裏側に取り付けられる金属板１８のリベット孔１８ａ、１８ａ、１８ａにリベット止めして、この背当て部Ｃに固定している（特許文献１、２）。
【特許文献１】実開平３−１６４１８号公報（第１頁、図１、３）
【特許文献２】特開平１１−３１８５３４号公報（第２頁、図１、３）
【発明の開示】
【発明が解決しようとする課題】
【０００３】
しかしながら、上記従来の背負い鞄の肩掛けベルト上端の取付具は、背負い鞄Ｂの取付部である背当て部Ｃにリベット止めして固定された場合、背当て部Ｃの裏側に取り付けられる金属板１８のリベット孔１８ａ、１８ａ、１８ａの周囲に、リベット止めでかしめた部分が浮き上がった状態で残ることになる。
【０００４】
前記背当て部Ｃの裏側、すなわち背負い鞄Ｂの収納部１９内の背当て部Ｃ側は内生地（図示せず）で覆われており、前記金属板１８およびリベット止めでかしめた部分がこの内生地によって隠されるが、リベット止めでかしめた部分が浮き上がった状態となっていることには変わりない。
【０００５】
ところで、背負い鞄がランドセルである場合には、学童が収納部１９内に教科書やノートを収納したときに、その教科書やノートの上端が、前記浮き上がった状態となっているリベット止めでかしめた部分に、内生地の上から当たったり、擦れたりして、前記教科書やノートの上端が傷んだり、内生地が破れたりするという問題点を有していた。
【０００６】
さらに、背負い鞄がリュックサックなどである場合にも、収納部１９内の収納物が、前記浮き上がった状態となっているリベット止めでかしめた部分に、内生地の上から当たったり、擦れたりして、その収納物が傷んだり、内生地が破れたりするという問題点を有していた。
【０００７】
また、上記背負い鞄に限らず、学生鞄等の提手付きの鞄においても、その提手の取付具が鞄本体にリベット止めして固定された場合、リベット止めでかしめた部分が浮き上がった状態で残り、そのリベット止めでかしめた部分に、収納部内の収納物が当たったり、擦れたりして、その収納物が傷んだり、またかしめた部分が傷んだりするという問題点を有していた。
【０００８】
そこで、この発明は、上記従来の問題点を解消するものであり、鞄の肩掛けベルトや提手等の各種の取付具を鞄本体に固定したとき、その固定した部分に収納部内の収納物が当たらず、擦れたりせず、その収納物が傷むことなく、しかもその取付具を鞄本体に固定した部分が傷むことのない鞄の取付具の固定構造を提供することを目的としてなされたものである。
【課題を解決するための手段】
【０００９】
そのため、この発明の鞄の取付具の固定構造は、取付具Ａの取付板１に設けられたリベット孔２から、鞄Ｂの取付部に設けられた貫通孔３にリベット４を貫通させ、さらに座ぐり部５ａを周囲に形成して止め板６の厚肉部６ａに設けたリベット孔５に前記リベット４を貫通させ、前記止め板６を鞄Ｂの取付部の裏側に当て、この止め板６の厚肉部６ａを前記貫通孔３内に入り込ませると共に、止め板６のリベット孔５に前記リベット４をかしめてリベット止めし、この止め板６の座ぐり部５ａ内に前記リベット４のリベット止めでかしめた部分４ａを入り込ませたものとしている。
【００１０】
さらに、この発明の鞄の取付具の固定構造は、前記リベット孔２を取付板１の両側端上部および上端中央部に設けたものとし、前記貫通孔３を鞄Ｂの取付部の上端中央部とその両側部に設けたものとし、さらに前記リベット孔５を止め板６の中央部とその両側部に設けたものとしている。
【００１１】
また、この発明の鞄の取付具の固定構造は、前記止め板６の厚肉部６ａの周囲を薄肉部６ｂとしている。
【発明の効果】
【００１２】
この発明の鞄の取付具の固定構造は、以上に述べたように構成されているので、鞄の肩掛けベルトや提手等の各種の取付具を鞄本体に固定したとき、その固定した部分に収納部内の収納物が当たらず、擦れたりせず、その収納物が傷むことなく、しかもその取付具を鞄本体に固定した部分が傷むことのないものとなった。
【発明を実施するための最良の形態】
【００１３】
以下、この発明の鞄の取付具の固定構造の実施の形態を、図面に基づいて詳細に説明する。
【００１４】
図１〜３は、この発明を実施する鞄を背負い鞄Ｂとし、取付具を肩掛けベルト上端の取付具Ａとして、この背負い鞄Ｂの取付部である背当て部Ｃに取付具Ａを固定する構造を示している。
【００１５】
図１は、肩掛けベルト上端の取付具Ａを固定した背負い鞄Ｂであるランドセルを背当て部Ｃ側から見た斜視図であり、図２、３に示したように、その肩掛けベルト上端の取付具Ａの取付板１に設けられたリベット孔２から、背負い鞄Ｂの取付部である背当て部Ｃに設けられた貫通孔３にリベット４を貫通させ、さらに座ぐり部５ａを周囲に形成して止め板６の厚肉部６ａに設けたリベット孔５に前記リベット４を貫通させている。
【００１６】
そして、前記止め板６を背負い鞄Ｂの背当て部Ｃの裏側に当て、この止め板６の厚肉部６ａを前記背当て部Ｃの貫通孔３内に入り込ませると共に、止め板６のリベット孔５に前記リベット４をかしめてリベット止めし、この止め板６の座ぐり部５ａ内に前記リベット４のリベット止めでかしめた部分４ａを入り込ませたものとしている。
【００１７】
前記肩掛けベルト上端の取付具Ａの取付板１は、上被覆板１ａと下被覆板１ｂからなり、これら上被覆板１ａと下被覆板１ｂの間に、肩掛けベルト７上端の取付部８ａを設けた一対の連結板８を挟み込んだものとしている。そして、連結板８は、対向側面に歯部８ｂを設け、これら歯部８ｂを互いに噛み合わせて、背負い鞄Ｂの背当て部Ｃに回動自在に取り付けることにより、前記肩掛けベルト７を揺動自在としたものとすることができる。
【００１８】
前記リベット孔２は、取付板１の上被覆板１ａと下被覆板１ｂのそれぞれの両側端上部および上端中央部に設けたものとしている。
【００１９】
前記貫通孔３は、背負い鞄Ｂの背当て部Ｃの上端中央部とその両側部に設けたものとしており、止め板６の厚肉部６ａを入り込ませるのに充分な大きさにしている。なお、貫通孔３の形状は、止め板６の厚肉部６ａの形状に合わせて円形としているが、止め板６の厚肉部６ａを円形以外の形状にした場合には、この貫通孔３の形状も止め板６の厚肉部６ａの形状に合わせて円形以外の形状にすればよい。
【００２０】
前記止め板６は、横長形状の合成樹脂板としており、リベット孔５を中央部とその両側部に設けたものとしており、厚肉部６ａの周囲を薄肉部６ｂとしている。
【００２１】
そこで、背負い鞄Ｂの背当て部Ｃの裏側、すなわち背負い鞄Ｂの収納部９内の背当て部Ｃ側を内生地１０で覆うと、前記止め板６およびリベット４のリベット止めでかしめた部分４ａがこの内生地１０によって隠される。そして、このリベット止めでかしめた部分４ａが止め板６の座ぐり部５ａ内に入り込み、この止め板６の厚肉部６ａが背当て部Ｃの貫通孔３内に入り込んでいるので、止め板６は背当て部Ｃからほとんど浮き上がらないものとなる。
【００２２】
したがって、この発明を背負い鞄の肩掛けベルト上端の取付具の固定構造に実施した場合には、背負い鞄Ｂの収納部９に入れた教科書やノートなどの収納物が傷んだり、収納部内の背当て部Ｃ側を覆う内生地１０が破れたりすることのないものとなる。
【図面の簡単な説明】
【００２３】
【図１】この発明の鞄の取付具の固定構造を用いて、背負い鞄の背当て部に肩掛けベルト上端の取付具を固定した状態を示す斜視図である。
【図２】この発明の鞄の取付具の固定構造の分解斜視図である。
【図３】この発明の鞄の取付具の固定構造の斜視図である。
【図４】この発明の鞄の取付具の固定構造の構成部材である止め板を裏側から見た状態を示す斜視図である。
【図５】この発明の鞄の取付具の固定構造の中央断面図である。
【図６】従来の肩掛けベルト上端の取付具を固定した背負い鞄の一例を示す斜視図である。
【図７】図６に示す肩掛けベルト上端の取付具の分解斜視図である。
【図８】従来の肩掛けベルト上端の取付具を固定した背負い鞄の他の例を示す斜視図である。
【図９】図８に示す肩掛けベルト上端の取付具の分解斜視図である。
【符号の説明】
【００２４】
１  取付板
２  リベット孔
３  貫通孔
４  リベット
４ａ  かしめた部分
５  リベット孔
５ａ  座ぐり部
６  止め板
６ａ  厚肉部
６ｂ  薄肉部
Ａ  取付具
Ｂ  鞄
【図１】
2006204752.tif 000003
【図２】
2006204752.tif 000004
【図３】
2006204752.tif 000005
【図４】
2006204752.tif 000006
【図５】
2006204752.tif 000007
【図６】
2006204752.tif 000008
【図７】
2006204752.tif 000009
【図８】
2006204752.tif 000010
【図９】
2006204752.tif 000011